(57)【特許請求の範囲】
【請求項１】
内鍋と、外ケースおよび内ケースよりなり、内鍋を取り出し可能に収容する炊飯器本体と、該炊飯器本体の上部開口を開閉自在に覆蓋する蓋体と、上記内鍋を加熱する加熱手段と、必要な音声情報を報知する音声報知手段と、上記炊飯器本体の外ケースと内ケースとの間の空間部上方の操作パネル裏面側に位置して設けられ、上記加熱手段および音声報知手段の制御を行うマイコン基板とを備えてなる電気炊飯器において、上記マイコン基板の下方に上記マイコン基板とは別に音声回路基板を設け、該音声回路基板に上記音声報知手段を配設することにより、配線距離を短縮して配線量を少なくするとともに、熱および電磁ノイズの影響を回避する一方、上記音声回路基板下方の上記外ケース底部に、空気吸込口を介して空気を吸込む冷却ファンを設け、上記音声報知手段は、同冷却ファンの空気吸込口を放音口として放音することにより専用の放音口を不要としたことを特徴とする電気炊飯器。
【請求項２】
内鍋と、外ケースおよび内ケースよりなり、内鍋を取り出し可能に収容する炊飯器本体と、該炊飯器本体の上部開口を開閉自在に覆蓋する蓋体と、上記内鍋を加熱する加熱手段と、必要な音声情報を報知する音声報知手段と、上記炊飯器本体の外ケースと内ケースとの間の空間部上方の操作パネル裏面側に位置して設けられ、上記加熱手段および音声報知手段の制御を行うマイコン基板とを備えてなる電気炊飯器において、上記マイコン基板の下方に上記マイコン基板とは別に音声回路基板を設け、該音声回路基板に上記音声報知手段を配設することにより、配線距離を短縮して配線量を少なくするとともに、熱および電磁ノイズの影響を回避する一方、上記音声回路基板下方の上記外ケース底部に、空気吸込口を介して空気を吸込む冷却ファンを設け、かつ上記音声報知手段の一方側の面を扁平面とし、同扁平面側を当該冷却ファンからの空気の流れと平行に設置することにより、上記音声報知手段を冷却した冷却ファンからの空気が乱されることなく上記マイコン基板側に供給されるようにしたことを特徴とする電気炊飯器。
【発明の詳細な説明】
【技術分野】
【０００１】
本願発明は、音声等報知手段を備えた電気炊飯器に関するものである。
【背景技術】
【０００２】
従来から電気炊飯器には、一般にブザー等の人の聴覚にアピールするアコースティックな報知手段が設けられており、例えば炊飯スイッチや保温スイッチ等の操作スイッチを操作した時に動作音を発生させたり、炊飯の完了報知やアラーム情報の報知等を行うようになっている。
【０００３】
また最近では、このような報知手段として、例えば言葉を話す音声スピーカの採用も検討されており、炊飯メニュー設定時の設定方法の設定内容など、より具体的な情報内容の報知を行わせる電気炊飯器の提供も準備、検討されている。
【０００４】
ところで、従来、このようなブザー、スピーカなどの音声等報知手段は、炊飯器本体の外ケース内にあって、設置可能なスペースがあり、かつ熱的な影響を受けにくく、しかも外部への放音効果が高い設置場所として、一般に外ケース内底部の底部材上の場所が選ばれ、放音用の開口（グリル）を介して炊飯器本体の底面側から放音させるようになっていた（例えば特許文献１参照）。
【０００５】
【特許文献１】特開２００６−９４９２４号公報（明細書第１頁−７頁、図１−３）
【発明の開示】
【発明が解決しようとする課題】
【０００６】
ところが、上記従来の構成の場合、次のような問題があった。
【０００７】
（１）  炊飯器本体前側の操作パネル裏面に対応して設けられるマイコン基板から遠いために、配線が長くなり、配線作業（取り回し）も複雑になる。
【０００８】
特に、底部材上の位置として、炊飯器本体の後部側位置が選ばれた場合には、そのような問題がより顕著になる。
【０００９】
（２）  また、同構成の場合、それだけ配線材も多くなり、コストが高くなる。
【００１０】
（３）  さらに、同構成の場合、上記のように炊飯器本体の後方位置が選ばれた場合、ワークコイルやヒータの下方を通ってマイコン基板から音声等報知手段に配線が相当に長く延設されることになるから、その間で各種の電磁ノイズを拾いやすくなり、報知音のクリア性が低下する。
【００１１】
（４）  また、従来の構成の場合、マイコン基板と音声回路基板との２つの基板の設置スペース、マイコン基板との接続などを考慮しなければならないから、より制約が大きい。
【００１２】
本願発明は、このような問題を解決するためになされたもので、炊飯器本体のマイコン基板の下方に音声報知手段を配設し、最短距離でマイコン基板と接続することにより、配線距離を短縮して配線作業を容易にするとともに必要な配線の量を少なくし、周囲の熱や電磁ノイズの影響を可及的に回避し、また冷却ファンの空気吸込口を放音口として利用することにより専用の放音口を不要とし、また音声報知手段の一方側の面を扁平面とすることによって冷却ファンからマイコン基板側に供給される冷却風の流れを乱さないようにした電気炊飯器を提供することを目的とするものである。
【課題を解決するための手段】
【００１３】
本願発明は、同目的を達成するために、次のような課題解決手段を備えて構成されている。
【００１４】
（１）  請求項１の発明
この発明の電気炊飯器は、内鍋と、外ケースおよび内ケースよりなり、内鍋を取り出し可能に収容する炊飯器本体と、該炊飯器本体の上部開口を開閉自在に覆蓋する蓋体と、上記内鍋を加熱する加熱手段と、必要な音声情報を報知する音声報知手段と、上記炊飯器本体の外ケースと内ケースとの間の空間部上方の操作パネル裏面側に位置して設けられ、上記加熱手段および音声報知手段の制御を行うマイコン基板とを備えてなる電気炊飯器において、上記マイコン基板の下方に上記マイコン基板とは別に音声回路基板を設け、該音声回路基板に上記音声報知手段を配設することにより、配線距離を短縮して配線量を少なくするとともに、熱および電磁ノイズの影響を回避する一方、上記音声回路基板下方の上記外ケース底部に、空気吸込口を介して空気を吸込む冷却ファンを設け、上記音声報知手段は、同冷却ファンの空気吸込口を放音口として放音することにより専用の放音口を不要としたことを特徴としている。
【００１５】
このような構成によれば、音声回路基板を含めて音声報知手段がマイコン基板の下方に設けられることになり、最短距離でマイコン基板のマイコンと接続することができるようになるので、配線距離が短縮されるとともに、配線作業が容易になり、必要な配線の量を少なくすることができ、さらに熱や周囲の電磁ノイズの影響を可及的に回避することができるようになる。
【００１６】
また、冷却ファンの空気吸込口を放音口として利用するようにしているので、音声報知専用の放音口を不要にすることができる。
【００１７】
（２）  請求項２の発明
この発明の電気炊飯器は、内鍋と、外ケースおよび内ケースよりなり、内鍋を取り出し可能に収容する炊飯器本体と、該炊飯器本体の上部開口を開閉自在に覆蓋する蓋体と、上記内鍋を加熱する加熱手段と、必要な音声情報を報知する音声報知手段と、上記炊飯器本体の外ケースと内ケースとの間の空間部上方の操作パネル裏面側に位置して設けられ、上記加熱手段および音声報知手段の制御を行うマイコン基板とを備えてなる電気炊飯器において、上記マイコン基板の下方に上記マイコン基板とは別に音声回路基板を設け、該音声回路基板に上記音声報知手段を配設することにより、配線距離を短縮して配線量を少なくするとともに、熱および電磁ノイズの影響を回避する一方、上記音声回路基板下方の上記外ケース底部に、空気吸込口を介して空気を吸込む冷却ファンを設け、かつ上記音声報知手段の一方側の面を扁平面とし、同扁平面側を当該冷却ファンからの空気の流れと平行に設置することにより、上記音声報知手段を冷却した冷却ファンからの空気が乱されることなく上記マイコン基板側に供給されるようにしたことを特徴としている。
【００１８】
このような構成によれば、音声回路基板を含めて音声報知手段がマイコン基板の下方に設けられることになり、最短距離でマイコン基板のマイコンと接続することができるようになるので、配線距離が短縮されるとともに、配線作業が容易になり、必要な配線の量を少なくすることができ、かつ熱や周囲の電磁ノイズの影響を可及的に回避することができるようになる。
【００１９】
しかも、この発明の構成の場合、音声報知手段の一方側の面を扁平面とすることにより、冷却ファンからマイコン基板への冷却風の流れを乱さないようにしているので、音声報知手段部分をスムーズに冷却風が通過し、音声報知手段が効率良く冷却されることは素より、音声報知手段部分で冷却風の流れが乱されて、マイコン基板側の冷却効率が低下するようなこともない。
【００２０】
また、音声報知手段からの音声を、乱された冷却ファンからの風の騒音に影響されることなく、クリアな状態で外部に出力することができる。
【発明の効果】
【００２１】
以上の結果、本願発明によると、配線作業が容易で、配線コストが低く、熱や電磁ノイズの影響がなく、また冷却ファンの空気吸込口を放音口として利用することにより専用の放音口を不要とし、さらに音声報知手段の一方側の面を扁平面とすることによって冷却ファンからマイコン基板側に供給される冷却風の流れを乱さないようにした、音声スピーカ等の音声報知手段を備えた利便性の高い電気炊飯器を提供することができるようになる。
【発明を実施するための最良の形態】
【００２２】
＜最良の実施の形態１＞
図１〜図６は、上記のような特徴を備えた本願発明の最良の実施の形態１に係る電気炊飯器の構成を示している。
【００２３】
（炊飯器本体の構成）
先ず本願発明の最良の実施の形態１における電気炊飯器では、図１および図２に示すように、例えば内鍋（飯器ないし保温容器）３として非金属材料からなる鍋（例えば、セラミック製の土鍋）が採用されており、その底壁部３ａの外周面および該底壁部３ａから側壁部３ｂ面に至る間の湾曲面には、内部に誘起されるうず電流によって自己発熱が可能な、例えば銀ペースト等の金属製の第１，第２の誘導発熱体Ｇ１，Ｇ２が個別に貼設されている。
【００２４】
すなわち、該電気炊飯器は、同構成の内鍋３と、該内鍋３を任意にセットし得るように形成された下部側合成樹脂製の皿状の底壁部４および上部側筒状の側壁部６よりなる内ケース（保護枠）４６と、該内ケース４６を保持する外部筺体である有底筒状の外ケース１と、該外ケース１と上記内ケース４６とを一体化して形成された炊飯器本体の上部に開閉可能に設けられた蓋ユニット（蓋体）２とから構成されている。
【００２５】
上記内ケース４の底壁部（底部）４ａの下方側にはコイルカバー９３が設けられ、その下部にはフェライトコア７を配置し、またその上部には、上記内鍋３の底壁部３ａの下面側と側部湾曲面側の各誘導発熱体Ｇ１，Ｇ２位置に対応して各々リッツ線が同心状に巻成された第１，第２の２組のワークコイルＣ１，Ｃ２が設けられており、それにより通電時には内鍋３の上記第１，第２の誘導発熱体Ｇ１，Ｇ２にうず電流を誘起して、内鍋３を加熱するようになっている。該第１，第２のワークコイルＣ１，Ｃ２は、例えば相互に直列に接続されている（したがって、以下の動作説明および図４の制御回路図では単にワークコイルＣとして示す）。
【００２６】
内ケース４６の皿状の底壁部４は、底面部４ａの中央部にセンターセンサーＣＳのセンサー部嵌合口が形成されているとともに、同センサー部嵌合口の外周側上面にドーナツ状の遮熱板５０が設けられている。また、外周側側面部４ｂの上端側には、所定幅半径方向外方に張り出したフランジ状の段部４ｃが設けられ、この段部４ｃ部分に上部側筒状の側壁部６の下端６ｂ側が係合載置されている。
【００２７】
他方、上部側筒状の側壁部６の上端６ａは、内枠部材９を介して炊飯器本体側上端の肩部材１１に連結して固定されている。
【００２８】
そして、上記第１，第２のワークコイルＣ１，Ｃ２の一端は、例えば図４の制御回路図に示すように整流回路および平滑回路３５，３６を介した電源ラインに、また他端はＩＧＢＴ駆動回路４２のＩＧＢＴ（パワートランジスタ）のコレクタにそれぞれ接続されている。
【００２９】
また、上記内ケース４６の上部側筒状の側壁部６の外周には、炊飯および保温時において加熱手段として機能する側面ヒータ（保温ヒータ）Ｈ１が設けられており、炊飯時および保温時において上記内鍋３の全体を有効かつ均一に加熱するようになっている。この側面ヒータＨ１部分には、同部分の温度を検出する側部温度センサ（図示省略）が設けられている。
【００３０】
そして、それら２種の加熱手段Ｃ１，Ｃ２、Ｈ１と後述する蓋ユニット２側の蓋ヒータＨ２を、例えば図４の制御回路図に示すようにマイコン制御ユニット３２によって適切に駆動制御することによって適切な炊飯機能と保温機能とを実現できるようになっている。
【００３１】
他方、上述の炊飯、保温機能に対するタイマー予約や炊飯および保温メニューの選択、それら各メニューに対応した各工程における加熱出力、加熱時間、保温温度、保温時間などの操作設定は、当該電気炊飯器本体の上部前面部に設けられた、図３のような操作パネル２０の各種入力スイッチ群（操作キー群）２２ａ〜２２ｉを介してユーザーにより行われ、その設定内容に応じて最終的に上記第１，第２のワークコイルＣ１，Ｃ２および側面ヒータＨ１、蓋ヒータＨ２が適切に制御されるようになっている。
【００３２】
上記操作パネル２０面のスイッチ２２ａ〜２２ｉは、例えば炊飯スイッチ２２ａ（そのＯＮ表示部２３ａ）、タイマー予約スイッチ２２ｂ（そのＯＮ表示部２３ｃ）、取消スイッチ２２ｃ、タイマー予約用の時・分設定スイッチ２２ｅ、炊飯メニュー選択スイッチ２２ｆ、お米選択スイッチ２２ｇ、メニュー設定時又は一旦設定されたメニュー等の音声によるガイド機能を選択実行するための音声ガイドスイッチ２２ｈ、保温スイッチ２２ｉ（そのＯＮ表示部２３ｄ）、火かげんレベル設定スイッチ２２ｊ等よりなっている。
【００３３】
また、上記操作パネル２０の中央部には、炊飯、保温の各メニュー、お米の種類、火かげんレベル、音声ガイド選択設定時の音声音量の調整に必要な画像、設定された保温温度、設定保温時間並びに現在時刻および炊飯完了までの残時間、空炊き報知、その他の各種必要事項を表示する液晶表示部２１が設けられている。
【００３４】
そして、上記外ケース１内の上記操作パネル２０の裏面の外ケース１と内ケース４６との間の空間部の上方には、同操作パネル２０の操作機能および表示機能に対応した各スイッチの操作スイッチ機構、液晶ディスプレイ、それらの入出力制御回路を備えたマイコン基板（マイコンボード）ＭＢがそれぞれパネル面に沿った傾斜状態で設置されている。
【００３５】
このマイコン基板ＭＢは音声回路（音声スピーカ駆動回路６０）を一緒に圧縮レイアウトしている一方、上記外ケース１および内ケース４６の各上部間に跨がって両者を連結固定している上記肩部材１１の下面側から外ケース１下部の底部材１ｂ上まで（その支持リブ支持リブ７２上まで）くの字状に延びるマイコン基板カバー８１の上部側の上記操作パネル２０面に沿って傾斜したマイコン基板取付部８１ａ部分の上面側凹溝部上に取り付けられている。
【００３６】
マイコン基板カバー８１は、マイコン基板取付部８１ａから下方側の部分がくの字状に折り曲げられて底部材１ｂの支持リブ７２上に垂直に延び、同垂直平板部分が音声スピーカ６１の取付部８１ｂとなっている。そして、同音声スピーカ取付部８１ｂに対して、図２のように、例えば非常にホーン部の拡大角が大きいダイナミック型の音声スピーカ６１が駆動部（ボイスコイル部）を前面側、ホーン部（コーン部）を背面側に向けて取り付けられている。この音声スピーカ取付部８１ｂに対する音声スピーカ６１の取付けは、コの字状（ハット形）の板金部材６２の内側に対して発泡材等の弾性部材（ダンパー）６５を介してビス６３で固定する固定方法が採用されている。
【００３７】
そして、同音声スピーカ６１のボイスコイル部の入出力ターミナル６１ａは短かいリード線６１ｂを介して上方側のマイコン基板取付部８１ａの下部に延設され、同部分でマイコン基板ＭＢ側音声回路の入出力端子７９に着脱可能に接続されている。
【００３８】
また、上記内ケース４の前面部側には、例えば図４に示されるような、第１，第２のワークコイルＣ（Ｃ１，Ｃ２）、側面ヒータＨ１、蓋ヒータＨ２等を駆動制御する、上記ＩＧＢＴやチョークコイルＣＨ、制御用ＩＣチツプＨＩＣ、側面ヒータ駆動回路、蓋ヒータ駆動回路、電源電圧整流用のダイオードブリッジよりなる整流回路、共振コンデンサＣＤ１、平滑回路の平滑コンデンサＣＤ２、ヒートシンク７３、その他の制御部品を備えた制御基板（コントロールボード）ＣＢが上下方向に立設して設けられている。
【００３９】
この制御基板ＣＢは、上記内ケース４６の前面側に上下垂直方向に延びて立設固定された制御基板カバー８２の前面側に取り付けられている。
【００４０】
そして、上記制御基板ＣＢおよびヒートシンク７３の下方側底部材１ｂ上には、同底部材１ｂに設けた空気吸込グリル７１部分に吸込側を対応させた形で、冷却ファン１７が設置されている。そして、該冷却ファン１７が駆動されると、下方側空気吸込グリル７１から吸込まれた空気がヒートシンク７３、制御基板ＣＢおよび音声スピーカ取付部８１ｂに沿って上方に吹き出され、それらの部分を冷却した後、さらに上記マイコン基板ＭＢ部分を冷却しながら内ケース４の周囲に流れて行く。
【００４１】
同冷却ファン１７からの冷却風は、もちろん内鍋３の底部側にも分流され、第１，第２のワークコイルＣ１，Ｃ２等の発熱部分の冷却をも行う。
【００４２】
また上記外ケース１は、例えば金属部材で形成された上下方向に筒状のカバー部材１ａと、該カバー部材１ａの上端部に結合された合成樹脂製の肩部材１１と、上記カバー部材１ａの下端部に一体化された上記合成樹脂製の底部材１ｂとからなり、かつ上記内ケース４６の底壁部４との間に所定の広さの断熱および通風空間部を形成した全体として有底の筒状体に構成されている。
【００４３】
さらに、上記内ケース４６の下部側皿状の底壁部４の中央部には、上述の如く上下方向に同心状に貫通したセンターセンサー嵌合口（センターセンサー収納空間部）が形成されており、該センターセンサー収納空間部中に上下方向に昇降自在な状態で、かつ常時コイルスプリングにより上方に上昇付勢された状態で内鍋底部の温度を検知する内鍋温度センサＳを備えたセンターセンサーＣＳが設けられている。
【００４４】
一方、符号２は蓋ユニットであり、該蓋ユニット２は、その外周面を構成するとともに中央部に調圧パイプ１５を備えた合成樹脂製の外カバー１２と、該外カバー１２の内側に嵌合一体化して設けられた合成樹脂製の内枠１３と、該内枠１３の内側開口部内にパッキン１４ａおよび金属製の放熱板１６ａと、該放熱板１６ａの上面に設けられた蓋ヒータＨ２と、上記放熱板１６ａの下方に設けられた金属製の内蓋１６ｂとを備えて構成されている。また、放熱板１６ａの外周縁部下方および内蓋１６ｂの外周縁部下方には、それぞれパッキン１４ａ，１４ｂが設けられており、内蓋１６ｂは、同パッキン１４ｂを介して内鍋３の開口縁部３ｃの上面部に接触させられている。また、符号１５ａは調圧パイプ１５内の調圧弁、さらに符号１５ｂはその下部側キャップである。
【００４５】
この蓋ユニット２は、上記外ケース１上部の後端側で肩部材１１に対してヒンジ機構８を介して回動自在に取付けられており、その開放端側には、該蓋ユニット２の所定位置に係合して該蓋ユニット２の上下方向への開閉を行うロック機構１０が設けられている。
【００４６】
したがって、該構成では、先ず炊飯時には、上記内鍋３は、上記第１，第２の２組のワークコイルＣ１，Ｃ２の駆動により生じる渦電流によって、その底壁部３ａから側壁部３ｂ側にかけて設けられている第１，第２の誘導発熱体Ｇ１，Ｇ２が発熱して内鍋３の底壁部３ａから側壁部３ｂに亘る部分が加熱されるとともに、側面ヒータＨ１によって内鍋３の側壁部３ｂが加熱され、さらに蓋ヒータＨ２によって内鍋３の上部が加熱される。
【００４７】
一方、上記マイコン基板ＭＢのマイコン制御ユニット３２には、上記各入力スイッチ２２ａ〜２２ｊを介して入力されたユーザーの指示内容を判断する所望の認識手段が設けられており、該認識手段で認識されたユーザーの指示内容に応じて所望の炊飯又は保温機能、保温ＯＦＦ機能、所望の炊飯（又は保温）メニュー、それら炊飯又は保温メニューに対応した所定の加熱パターン（加熱出力、加熱時間）、火かげんレベルを設定して、その炊飯加熱制御手段又は保温加熱制御手段、保温ＯＦＦ制御手段を適切に作動させて所望の炊飯又は保温制御、保温ＯＦＦ制御を行うようになっている。
【００４８】
したがって、ユーザーは、上記各入力スイッチ２２ａ〜２２ｊを使って炊飯又は保温、タイマー予約、予約時刻設定、白米又は玄米、早炊、おかゆ、すしめし、炊き込み等の炊き分け、通常保温モード又は省エネ保温モード、保温ＯＦＦモード、火かげん調節モードその他の各種機能の選択設定内容を入力すれば、それに対応した機能内容が当該マイコン制御ユニット３２内の認識手段を介して炊飯および保温加熱パターン等設定部に自動的に設定入力され、対応する炊飯又は保温加熱制御、保温ＯＦＦ制御、火かげん制御が適切になされるようになる。
【００４９】
以上のように、この発明の電気炊飯器では、内鍋３と、外ケース１および内ケース４６よりなり、内鍋３を取り出し可能に収容する炊飯器本体と、該炊飯器本体の上部開口を開閉自在に覆蓋する蓋体２と、上記内鍋３を加熱する加熱手段である第１，第２のワークコイルＣ１，Ｃ２と、必要な音声等の情報を報知する音声等報知手段である音声スピーカ６１と、上記炊飯器本体の外ケース１と内ケース４６との間の空間部上方の操作パネル２０裏面側に位置して設けられ、上記第１，第２のワークコイルＣ１，Ｃ２および音声スピーカ６１の制御を行うマイコン基板ＭＢとを備えてなる電気炊飯器において、上記マイコン基板ＭＢに音声回路を圧縮レイアウトし、該音声回路を備えたマイコン基板ＭＢの近傍に音声スピーカ６１を連設したことを特徴ととしている。
【００５０】
このような構成によれば、音声スピーカ６１がマイコン基板ＭＢ近傍に設けられることになり、最短距離でマイコン基板ＭＢのマイコン制御ユニット３２と接続することができるので、配線距離が可及的に短縮されるとともに、配線作業が容易になり、必要な配線の量を少なくすることができ、かつ周囲の熱や電磁ノイズの影響を可及的に回避することができるようになる。
【００５１】
しかも、この発明の構成の場合、マイコン基板ＭＢ自体に音声回路を圧縮してレイアウトし、該音声回路を一体に備えたマイコン基板ＭＢの近傍に音声スピーカ６１を連設するようにしているため、上述のような音声回路基板自体が不要となるので、その分スペースファクターに余裕ができ、より小さなスペースで音声スピーカ６１の設置が可能となり、また配線本数、配線長さを節約することができ、設置作業もより容易になる。
【００５２】
しかも、同構成においては、マイコン基板ＭＢおよび音声スピーカ６１の下方には、底部材１ｂ側空気吸込グリル７１を介して空気を吸込む冷却ファン１７が設けられており、音声スピーカ６１は、同冷却ファン１７の空気吸込グリル７１を放音口として放音するように構成されている。
【００５３】
このように、底部材１ｂ側に設けられた冷却ファン１７の空気吸込グリル７１を利用して放音口とすると、別途専用の放音口を形成する必要がなく、便利である。
【００５４】
また、その場合において、上記音声スピーカ６１は、その扁平面を上記冷却ファン１７からの空気の流れと平行にして設置されている。
【００５５】
このように構成すると、音声スピーカ６１をマイコン基板ＭＢの近傍に連設しても、当該音声スピーカ６１が冷却ファン１７からの空気の流れを阻害して、マイコン基板ＭＢその他の発熱部分への冷却風の流れを乱すということがなくなり、むしろ下方からの風をスムーズにマイコン基板ＭＢ方向に導くガイド機能を果す。
【００５６】
なお、この場合、例えば図５の（ａ），（ｃ），（ｄ）に示すように、上記音声ガイドスイッチ２２ｈが押された音声スピーカ６１の作動時には、上記冷却ファン１７の作動を停止するように構成されている。
【００５７】
このように構成すると、音声スピーカ６１の作動時に、冷却ファン１７からの空気および冷却ファン１７の作動音に邪魔されることなく、クリアな音声等を冷却ファン１７の空気吸込グリル７１から外部に出力することができる。
【００５８】
また、同様に、図５の（ａ），（ｂ），（ｄ）に示すように、上記音声ガイドスイッチ２２ｈが押された音声スピーカ６１の作動時には、上記第１，第２のワークコイルＣ１，Ｃ２の作動を停止するように構成されている。
【００５９】
このように構成すると、音声スピーカ６１の作動時に、第１，第２のワークコイルＣ１，Ｃ２の発振音に邪魔されることなく、また第１，第２のワークコイルＣ１，Ｃ２による電磁ノイズの影響を受けることなく、よりクリアな音声等を冷却ファン１７の空気吸込グリル７１から外部に出力することができる。
【００６０】
なお、これらの場合、例えば音声ガイドスイッチ（キー）２２ｈが押された時に、上述の如く第１，第２のワークコイルＣ１，Ｃ２や冷却ファン１７を完全に停止させるのではなく、例えば図６のタイムチャート（ａ）〜（ｄ）に示すように、それらの出力を各々所定量以上下げるようにしてもよい。
【００６１】
（炊飯器本体側制御回路部分の構成）
次に、図４は、上述のように構成された炊飯器本体側の炊飯又は保温、音声ガイド等の制御を行うマイコン制御ユニット３２を中心とする制御回路部分の構成を示している。
【００６２】
図４中において、符号３２が上述のような炊飯加熱制御手段および保温加熱制御手段、内鍋温度検知手段、内鍋有無検知手段、空炊き検知（判定）手段、液晶表示制御手段、音声スピーカ制御手段、火かげん制御手段等を備えた炊飯・保温等各種制御用のマイコン制御ユニット（ＣＰＵ）である。
【００６３】
該マイコン制御ユニット３２はマイクロコンピュータを中心として構成されており、例えば内鍋３の底部の温度を検知する内鍋温度検知回路４３、ワークコイルＣ（ワークコイル回路）を駆動するＩＧＢＴの駆動回路４２、内鍋３のセット状態を検知する内鍋検知回路４４、メインクロック信号発振回路５９、リセット回路５４、側面ヒータＨ１を駆動する側面ヒータ駆動回路３３、蓋ヒータＨ２を駆動する蓋ヒータ駆動回路２４、音声スピーカ６１の駆動回路６０、ワークコイル用整流平滑回路３５，３５、ＤＣ電源用整流平滑回路（整流器、平滑コンデンサ）４９、入力電圧検出回路５２、ファンモータ駆動回路１６、省エネ回路５７、ＥＥＰＲＯＭ５８、入力電流検出回路４７、ゼロクロス信号検出回路４８、同期トリガー回路４０、ＤＣ電源回路５１、マイコン電源回路５３、液晶表示部２１、動作表示用ＬＥＤ２３ａ〜２３ｄ、各種操作スイッチ２２ａ〜２２ｊ、電源ノイズフィルタ回路７０等がそれぞれ入出力可能に接続されている。
【００６４】
そして、先ず上記内鍋３の底部３ａ側センターセンサーＣＳ部の内鍋温度検知センサＳに対応して設けられた内鍋温度検知回路４３および内鍋検知回路４４には、内鍋温度検知センサーＳによる内鍋３の底部３ａの温度検知信号がそれぞれ入力されるようになっている。
【００６５】
また、上記ワークコイル回路Ｃに対応したＩＧＢＴ駆動回路４２は、上記マイコン制御ユニット３２により、例えば炊飯工程の各工程に応じて上記第１，第２のワークコイルＣ１，Ｃ２の出力値（ワット数）および同出力値での通電率（例えばｎ秒／１６秒）をそれぞれ適切に変えることによって、同炊飯工程の各工程における上記土鍋等非金属製の内鍋３の加熱温度と加熱パターンを炊飯量を考慮して適切に可変コントロールし、均一な吸水作用と加熱ムラのないご飯の炊き上げを実現するフィードバック制御を行うようになっている。
【００６６】
このマイコン制御ユニット３２によるフィードバック制御は、ワークコイル回路Ｃ（Ｃ１，Ｃ２）の出力状態に対応したフィードバック値調整回路およびフィードバック制御回路の制御信号に基いてなされる。
【００６７】
また同マイコン制御ユニット３２により、それぞれ上記側面ヒータ駆動回路３３および蓋ヒータ駆動回路２４を制御することにより、例えば炊飯又は保温の各工程に応じて上記側面ヒータＨ１、蓋ヒータＨ２の所定の出力値での通電率（例えばｎ秒／１６秒）をそれぞれ適切に変えることによって、炊飯又は保温の各工程における内鍋３の加熱温度と加熱パターンとを実際の炊飯量を考慮して適切に可変コントロールするようになっている。
【００６８】
（音声スピーカの音量調整方法）
ところで、上記音声スピーカ６１による音声ガイド時およびブザー音時等の音量は、昼夜の別、マンションか１戸建かの住居環境の相違、ユーザーの好みや聴覚機能のレベルによって差が生じる。
【００６９】
したがって、この実施の形態では、例えば図７の液晶画面フローチャートａ〜ｇに示すように、音声ガイド時およびブザー報知時共に音量レベルの調整が可能となっている。
【００７０】
今例えば図７のステップａに示すように、液晶表示部２１の画面上に炊き込みメニューで、ＡＭ１０：３０の時刻表示がなされているとする。
【００７１】
このａの状態で、例えばメニュースイッチ２２ｆを押して、ステップｂに示すような音量設定モード画面を選択する。この時画面には、その時の設定音量が表示される（例えば図示の場合だと音量→中）。
【００７２】
そこで、このｂの表示状態で、上記タイマー予約用の時、分スイッチ２２ｅの何れかを利用して、例えばｃのように音量の調整を行う。
【００７３】
例えば同スイッチ２２ｅの時スイッチ側を押せば音量がアップし、分スイッチ側を押せば音量がダウンする。
【００７４】
もちろん、この場合、ｄのように上記メニュースイッチ２２ｆでブザー機能を選択し、同状態でｅのようにブザー音のみの音量調整を行うことも可能である。
【００７５】
このようにして、それぞれの報知機能の下での音量の調整が終了すると、同状態で例えば炊飯スイッチ２２ａを押す。すると、ステップｆに示すように、同状態での調整音量が設定音量として確定される。
【００７６】
そして、次に新たにメニュースイッチ２２ｆを押すと、ステップｇに示すように、次の新たなメニューの選択が可能となる。
【００７７】
なお、このような音量設定に際し、上記音声あり、なしの選択と音声ありの時の音量レベルは、例えば図８のａ〜ｄに示すようなデジタル的なレベルインジケータによる画面表示を採用することも可能である。
【００７８】
このようにすると、設定された音量レベルが非常に分りやすくなる。
【００７９】
一方、上記音声スピーカ駆動回路６０は、上記操作パネル２０上の音声ガイドスイッチ２２ｈが押されると、その時に設定されている炊飯メニュー、炊飯状態を音声でユーザーに報知する。また、マイコン制御ユニット３２は、同報知状態では、ワークコイル回路Ｃ、ファンモータ駆動回路１６の駆動を停止する。
【００８０】
＜最良の実施の形態２＞
次に図９は、本願発明の最良の実施の形態２に係る電気炊飯器の要部の構成を示している。
【００８１】
この実施の形態２における電気炊飯器のマイコン基板ＭＢでは、上述の最良の実施の形態１のマイコン基板ＭＢのように、音声回路を圧縮レイアウトすることなく、上記マイコン基板カバー８１下部の音声スピーカ取付部８１ｂに対して音声回路基板８４を一緒に取り付け、音声スピーカ６１を同様の方向に向けてビス６３で固定したことを特徴とするものである。
【００８２】
この場合、マイコン基板ＭＢと別に音声回路基板８４が必要にはなるが、音声回路基板８４に音声スピーカ６１を取り付けた状態で、一緒にマイコン基板カバー８１側の音声スピーカ取付部８１ｂに取り付ければ、取り付けもマイコン基板ＭＢ側への配線も容易であり、配線距離、必要な配線量も殆ど変わらない。
【００８３】
また、これまでの音声回路基板の利用が可能なので、新たにマイコン基板ＭＢ側に音声回路を圧縮レイアウトするのに比べて低コストで済む。
【００８４】
＜最良の実施の形態３＞
次に図１０は、本願発明の最良の実施の形態３に係る電気炊飯器の要部の構成を示している。
【００８５】
この実施の形態３における電気炊飯器では、上記最良の実施の形態１における音声スピーカ６１の取付方向を前後逆にし（取付構造は同じ）、炊飯器本体の前方に向けて音が放射されるようにするとともに底部材１ｂの前面側円弧面に形成した放音口７８から音声が出力されるようにしたことを特徴とするものである。
【００８６】
このような構成にすると、音声が素直にユーザー側に向けて出力されることから、こもり音が生じにくくなる。
【００８７】
また、第１，第２のワークコイルＣ１，Ｃ２の発振や冷却ファン１７の作動音の影響を受けないので、それらを停止制御する必要もなくなり、炊飯機能にも影響を与えなくて済み、制御プログラムも簡略化される。
【図面の簡単な説明】
【００８８】
【図１】本願発明の最良の実施の形態１に係る電気炊飯器の炊飯器本体全体の構成を示す縦断面図である。
【図２】同電気炊飯器本体の要部の構成を示す拡大断面図である。
【図３】同電気炊飯器の液晶表示部を中心とする操作パネル部分の拡大正面図である。
【図４】同電気炊飯器の全体的な制御回路構成を示すブロック図である。
【図５】同電気炊飯器において音声ガイドスイッチが押された音声スピーカの作動状態とワークコイルおよび冷却ファンの作動状態との関係を示すタイムチャートである。
【図６】同電気炊飯器において音声ガイドスイッチが押された音声スピーカの作動状態とワークコイルおよび冷却ファンの作動状態との関係を示す他の例のタイムチャートである。
【図７】同電気炊飯器の音声スピーカの音量調整操作画面ａ〜ｄを示すフロー図である。
【図８】同電気炊飯器の音声スピーカの、より具体的な音量調整操作画面ａ〜ｇを示すフロー図である。
【図９】本願発明の最良の実施の形態２に係る電気炊飯器の炊飯器本体の要部の構成を示す縦断面図である。
【図１０】本願発明の最良の実施の形態３に係る電気炊飯器の炊飯器本体の要部の構成を示す縦断面図である。
【符号の説明】
【００８９】
Ｃ１，Ｃ２，Ｃはワークコイル、Ｈ１は側面ヒータ、Ｈ２は肩ヒータ、１は外ケース、２は蓋ユニット、３は内鍋、２０は操作パネル、２１は液晶表示部、２２ｈは音声ガイドスイッチ、３２はマイコン制御ユニットである。
【図１】
0005056194.tif 000002
【図２】
0005056194.tif 000003
【図３】
0005056194.tif 000004
【図４】
0005056194.tif 000005
【図５】
0005056194.tif 000006
【図６】
0005056194.tif 000007
【図７】
0005056194.tif 000008
【図８】
0005056194.tif 000009
【図９】
0005056194.tif 000010
【図１０】
0005056194.tif 000011